(57)【要約】  本発明は、無線通信システムにおける移動局による信号送受信方法及びシステムを提供する。その方法は、第１のサブバンドを通じて信号を送受信する準備ができていることを示す第１のサブバンド準備インジケータを、基本バンドを通じて基地局に送信するステップと、第１のサブバンド準備インジケータの送信失敗が検出されると、基本バンドを通じて第１のサブバンド失敗インジケータを基地局に送信するステップと、基地局から基本バンドを通じて第１のサブバンドと異なる第２のサブバンドに関するサブバンド情報を受信するステップと、第２のサブバンドを通じて信号を送受信できるようにサブバンド情報によって第２のサブバンドとの同期を獲得するステップとを具備する。
2011514774.tif 000002
【特許請求の範囲】
【請求項１】
無線通信システムにおける移動局による信号送受信方法であって、
第１のサブバンドを通じて信号を送受信する準備ができていることを示す第１のサブバンド準備インジケータを、基本バンドを通じて基地局に送信するステップと、
前記第１のサブバンド準備インジケータの送信失敗が検出されると、前記基本バンドを通じて第１のサブバンド失敗インジケータを前記基地局に送信するステップと、
前記基地局から前記基本バンドを通じて前記第１のサブバンドと異なる第２のサブバンドに関するサブバンド情報を受信するステップと、
前記第２のサブバンドを通じて信号を送受信できるように前記サブバンド情報によって前記第２のサブバンドとの同期を獲得するステップと、
を具備することを特徴とする方法。
【請求項２】
前記第１のサブバンド準備インジケータの送信失敗を検出するステップは、
前記第１のサブバンド準備インジケータの送信のための帯域幅割り当てを要求する帯域幅要求コードを送信すると同時に、前記帯域幅要求コードに対する応答の受信を待機する第１のタイマを開始するステップと、
前記第１のタイマが満了する前に前記帯域幅要求コードに対する前記応答が受信されたか否かを判定するステップと、
前記第１のタイマの満了以前に前記帯域幅要求コードに対する前記応答が受信されない場合、前記第１のサブバンド準備インジケータの送信失敗を検出するステップと、
を具備することを特徴とする請求項１に記載の方法。
【請求項３】
前記第１のタイマが満了する前に前記帯域幅要求コードに対する前記応答が受信されたか否かを判定するステップは、
前記第１のタイマの満了以前に前記帯域幅要求コードに対する応答が受信される場合、前記第１のサブバンド準備インジケータを送信すると同時に前記第１のサブバンド準備インジケータに対する応答受信を待機する第２のタイマを開始するステップと、
前記第２のタイマの満了以前に前記第１のサブバンド準備インジケータに対する応答が受信されたか否かを判定するステップと、
前記第２のタイマの満了以前に前記第１のサブバンド準備インジケータに対する応答が受信されていない場合、前記第１のサブバンド準備インジケータの送信失敗を検出するステップと、
を具備することを特徴とする請求項２に記載の方法。
【請求項４】
前記サブバンド情報は第２のサブバンド識別子を含むことを特徴とする請求項１に記載の方法。
【請求項５】
前記第１のサブバンド準備インジケータは、帯域幅要求ヘッダーとアップリンクデータのうちいずれか一つを用いて送信されることを特徴とする請求項１に記載の方法。
【請求項６】
無線移動通信システムにおける基地局による信号送受信方法であって、
基本バンドを通じて第１のサブバンドに関する情報を移動局に送信するステップと、
前記第１のサブバンドを通じて信号送受信が可能であることを示す第１のサブバンド準備インジケータの受信失敗を検出するステップと、
前記第１のサブバンド準備インジケータの受信失敗を検出すると、前記基本バンドを通じて前記第１のサブバンドと異なる第２のサブバンドに関するサブバンド情報を移動局に送信するステップと、
前記サブバンド情報によって前記第２のサブバンドを通じて前記移動局との信号送受信を遂行するステップと、
を具備することを特徴とする方法。
【請求項７】
前記第１のサブバンド準備インジケータの受信失敗を検出するステップは、
前記第１のサブバンドに関する情報を送信すると同時に前記第１のサブバンド準備インジケータの受信を待機する第１のタイマを開始するステップと、
前記第１のタイマの満了以前に前記第１のサブバンド準備インジケータが受信されたか否かを検出するステップと、
前記第１のタイマの満了以前に前記第１のサブバンド準備インジケータが受信されていない場合、前記第１のサブバンド準備インジケータの受信失敗を検出するステップと、
を具備することを特徴とする請求項６に記載の方法。
【請求項８】
前記サブバンド情報は第２のサブバンド識別子を含むことを特徴とする請求項６に記載の方法。
【請求項９】
前記第１のサブバンド準備インジケータは、帯域幅要求ヘッダーとアップリンクデータのうちいずれか一つを用いて送信されることを特徴とする請求項６に記載の方法。
【請求項１０】
無線移動通信システムにおける信号送受信システムであって、
基地局と、
第１のサブバンドを通じて信号送受信の準備ができていることを示す第１のサブバンド準備インジケータを基本バンドを通じて前記基地局に送信し、前記第１のサブバンド準備インジケータの送信失敗を検出する場合に、前記基本バンドを通じて第１のサブバンド失敗インジケータを前記基地局に送信し、前記基地局から前記基本バンドを通じて前記第１のサブバンドと異なる第２のサブバンドに関するサブバンド情報を受信し、前記第２のサブバンドを通じて信号を送受信できるように前記サブバンド情報によって前記第２のサブバンドとの同期を獲得する移動局と、
を含むことを特徴とする信号送受信システム。
【請求項１１】
前記移動局は、
前記第１のサブバンド準備インジケータの送信のための帯域幅割り当てを要求する帯域幅要求コードを送信すると同時に、前記帯域幅要求コードに対する応答の受信を待機する第１のタイマを開始し、
前記第１のタイマが満了する前に前記帯域幅要求コードに対する前記応答が受信されたか否かを判定し、
前記第１のタイマの満了以前に前記帯域幅要求コードに対する前記応答が受信されない場合、前記第１のサブバンド準備インジケータの送信失敗を検出することを特徴とする請求項１０に記載の信号送受信システム。
【請求項１２】
前記移動局は、
前記第１のタイマの満了以前に前記帯域幅要求コードに対する応答が受信される場合、前記第１のサブバンド準備インジケータを送信すると同時に前記第１のサブバンド準備インジケータに対する応答受信を待機する第２のタイマを開始し、
前記第２のタイマの満了以前に前記第１のサブバンド準備インジケータに対する応答が受信されたか否かを判定し、
前記第２のタイマの満了以前に前記第１のサブバンド準備インジケータに対する応答が受信されていない場合、前記第１のサブバンド準備インジケータの送信失敗を検出することを特徴とする請求項１１に記載の信号送受信システム。
【請求項１３】
前記サブバンド情報は第２のサブバンド識別子を含むことを特徴とする請求項１０に記載の信号送受信システム。
【請求項１４】
前記第１のサブバンド準備インジケータは帯域幅要求ヘッダーとアップリンクデータのうちいずれか一つを用いて送信されることを特徴とする請求項１０に記載の信号送受信システム。
【請求項１５】
無線移動通信システムにおける信号送受信システムであって、
移動局と、
基本バンドを通じて第１のサブバンドに関する情報を前記移動局に送信し、第１のサブバンドを通じて信号送受信が可能であることを示す第１のサブバンド準備インジケータの受信失敗を検出し、前記第１のサブバンド準備インジケータの受信失敗を検出すると、前記基本バンドを通じて前記第１のサブバンドと異なる第２のサブバンドに関するサブバンド情報を前記移動局に送信し、前記サブバンド情報によって前記第２のサブバンドを通じて前記移動局との信号送受信を遂行する基地局と、
を含むことを特徴とする信号送受信システム。
【請求項１６】
前記基地局は、
前記第１のサブバンドに関する情報を送信すると同時に前記第１のサブバンド準備インジケータの受信を待機する第１のタイマを開始し、
前記第１のタイマの満了以前に前記第１のサブバンド準備インジケータが受信されたか否かを検出し、
前記第１のタイマの満了以前に前記第１のサブバンド準備インジケータが受信されていない場合、前記第１のサブバンド準備インジケータの受信失敗を検出することを特徴とする請求項１５に記載の信号送受信システム。
【請求項１７】
前記サブバンド情報は第２のサブバンド識別子を含むことを特徴とする請求項１５に記載の信号送受信システム。
【請求項１８】
前記第１のサブバンド準備インジケータは帯域幅要求ヘッダーとアップリンクデータのうちいずれか一つを用いて送信されることを特徴とする請求項１５に記載の信号送受信システム。
【請求項１９】
無線通信システムにおける移動局と基地局との間の信号送受信方法であって、
移動局によって基本バンドを通じてネットワークに進入し、前記基本バンドと異なる少なくとも一つのサブバンドとの同期を獲得するステップと、
前記少なくとも一つのサブバンドを通じてデータを送受信する準備ができていることを示すオーバーレイモード準備インジケータを基地局に送信するステップと、
前記オーバーレイモード準備インジケータに応答して、前記移動局と前記基地局によって前記少なくとも一つのサブバンドを通じて信号を送受信するステップと、
を具備することを特徴とする方法。
【請求項２０】
前記オーバーレイモード準備インジケータは、メディアアクセス制御(ＭＡＣ)階層の制御メッセージ、各サブバンドによる前記オーバーレイモード準備インジケータとして使用されるように定義されたチャンネル品質表示(ＣＱＩ)コード、及び予め割り当てられたコードのうちいずれか一つの形態で送信されることを特徴とする請求項１９に記載の方法。
【請求項２１】
前記オーバーレイモード準備インジケータは、前記基本バンドと前記少なくとも一つのサブバンドのうちいずれか一つを用いて送信されることを特徴とする請求項１９に記載の方法。
【請求項２２】
前記オーバーレイモード準備インジケータは、前記移動局の識別子がスクランブルされたスクランブルコードであることを特徴とする請求項１９に記載の方法。
【請求項２３】
前記ＭＡＣ階層の制御メッセージは、前記オーバーレイモード準備インジケータであることを示すメッセージタイプフィールド、全体サブバンドの中から前記少なくとも一つのサブバンドがデータ送受信に使用される準備ができていることを示すサブバンドビットマップフィールド、及びトランザクション識別子フィールドのうち少なくとも一つを含むことを特徴とする請求項２０に記載の方法。
【請求項２４】
前記予め割り当てられたコードは、前記ネットワークエントリプロセス、オーバーレイモードの交渉プロセス、ハンドオーバープロセスのうちいずれか一つのプロセスで前記移動局に予め割り当てられたレンジングコードであることを特徴とする請求項２０に記載の方法。
【請求項２５】
前記予め割り当てられたコードは、前記少なくとも一つのサブバンドに対するレンジングが完了した場合、前記少なくとも一つのサブバンドを用いて送信されることを特徴とする請求項２４に記載の方法。
【請求項２６】
前記移動局がハンドオーバーを遂行する場合、前記予め割り当てられたレンジングコードは、ターゲット基地局の基本バンドと少なくとも一つのサブバンドのうちいずれか一つを通じて伝送されることを特徴とする請求項２４に記載の方法。
【請求項２７】
前記基地局から前記オーバーレイモード準備インジケータに対する応答信号をＭＡＣ階層の制御メッセージ、ダウンリンクデータ、及びレンジング応答メッセージのうちいずれか一つの形態で受信するステップをさらに具備することを特徴とする請求項１９に記載の方法。
【請求項２８】
前記ＭＡＣ階層の制御メッセージは、前記応答信号であることを示すメッセージタイプフィールド、トランザクション識別子フィールド、及び前記オーバーレイモード準備インジケータに対する応答であることを示すオーバーレイモードインジケータフィールドのうち少なくとも一つを含むことを特徴とする請求項２７に記載の方法。
【請求項２９】
無線通信システムにおける信号送受信システムであって、
移動局と、
基地局と、を含み、
前記移動局は、基本バンドを通じてネットワークに進入し、前記基本バンドと異なる少なくとも一つのサブバンドとの同期を獲得し、前記少なくとも一つのサブバンドを通じてデータの送受信準備ができていることを示すオーバーレイモード準備インジケータを前記基地局に送信し、前記オーバーレイモード準備インジケータに応答して、前記移動局と前記基地局が前記少なくとも一つのサブバンドを通じて信号を送受信することを特徴とする信号送受信システム。
【請求項３０】
前記オーバーレイモード準備インジケータは、メディアアクセス制御(ＭＡＣ)階層の制御メッセージ、各サブバンドによる前記オーバーレイモード準備インジケータとして使用されるように定義されたチャンネル品質表示(ＣＱＩ)コード、及び予め割り当てられたコードのうちいずれか一つの形態で送信されることを特徴とする請求項２９に記載の信号送受信システム。
【請求項３１】
前記オーバーレイモード準備インジケータは、前記基本バンドと前記少なくとも一つのサブバンドのうちいずれか一つを用いて送信されることを特徴とする請求項２９に記載の信号送受信システム。
【請求項３２】
前記オーバーレイモード準備インジケータは、前記移動局の識別子がスクランブルされたスクランブルコードであることを特徴とする請求項２９に記載の信号送受信システム。
【請求項３３】
前記ＭＡＣ階層の制御メッセージは、前記オーバーレイモード準備インジケータであることを示すメッセージタイプフィールド、全体サブバンドの中から前記少なくとも一つのサブバンドがデータ送受信に使用される準備ができていることを示すサブバンドビットマップフィールド、及びトランザクション識別子フィールドのうち少なくとも一つを含むことを特徴とする請求項３０に記載の信号送受信システム。
【請求項３４】
前記予め割り当てられたコードは、前記ネットワークエントリプロセス、オーバーレイモードの交渉プロセス、ハンドオーバープロセスのうちいずれか一つのプロセスで前記移動局に予め割り当てられたレンジングコードであることを特徴とする請求項３０に記載の信号送受信システム。
【請求項３５】
前記予め割り当てられたコードは、前記少なくとも一つのサブバンドに対するレンジングが完了した場合、前記少なくとも一つのサブバンドを用いて送信されることを特徴とする請求項３４に記載の信号送受信システム。
【請求項３６】
前記移動局がハンドオーバーを遂行する場合、前記予め割り当てられたレンジングコードは、ターゲット基地局の基本バンドと少なくとも一つのサブバンドのうちいずれか一つを通じて伝送されることを特徴とする請求項３４に記載の信号送受信システム。
【請求項３７】
前記移動局は、前記基地局から前記オーバーレイモード準備インジケータに対する応答信号をＭＡＣ階層の制御メッセージ、ダウンリンクデータ、及びレンジング応答メッセージのうちいずれか一つの形態で受信することを特徴とする請求項２９に記載の信号送受信システム。
【請求項３８】
前記ＭＡＣ階層の制御メッセージは、前記応答信号であることを示すメッセージタイプフィールド、トランザクション識別子フィールド、及び前記オーバーレイモード準備インジケータに対する応答であることを示すオーバーレイモードインジケータフィールドのうち少なくとも一つを含むことを特徴とする請求項３７に記載の信号送受信システム。
【請求項３９】
無線通信システムにおける基本バンド及びサブバンドを運用する移動局によって前記サブバンドに対するレンジングを遂行する方法であって、
基地局からサブバンドレンジングコードセットを受信するステップと、
前記サブバンドレンジングコードセットのサブバンドレンジングコードを前記サブバンドを通じて前記基地局に送信するステップと、
前記サブバンドレンジングコードに対するレンジング応答を待機するタイマを開始した後に、前記タイマの満了以前に前記基本バンドを通じてレンジング応答を受信するステップと、
を具備することを特徴とする方法。
【請求項４０】
前記レンジング応答は、前記サブバンドレンジングコード、前記サブバンドレンジングコードが送信されるシンボル領域/サブチャンネル領域/フレーム番号に関する情報、前記サブバンドレンジングコードが受信されるバンド情報、及び前記サブバンドレンジングコードに対する調整情報結果値のうち少なくとも一つを含むことを特徴とする請求項３９に記載の方法。
【請求項４１】
前記サブバンドレンジングコードに対する調整情報結果値は、前記基地局によって前記サブバンドレンジングコードの受信に成功したことを通知する成功コード、前記サブバンドレンジングコードの受信に失敗したことを通知する停止コード、及び前記サブバンドレンジングコードの送信パラメータに対する再調整及び再伝送を要求する継続コードのうち少なくとも一つを含むことを特徴とする請求項３９に記載の方法。
【請求項４２】
無線通信システムにおける基本バンド及びサブバンドを運用する基地局によって前記サブバンドに対するレンジングを遂行する方法であって、
移動局にサブバンドレンジングコードセットを送信するステップと、
前記移動局から前記サブバンドを通じて前記サブバンドレンジングコードセットのサブバンドレンジングコードを受信するステップと、
前記受信されたサブバンドレンジングコードに関する調整情報を判断して調整情報結果値を検出するステップと、
基本バンドを通じて前記調整情報結果値を含むレンジング応答を前記移動局に送信するステップと、
を具備することを特徴とする方法。
【請求項４３】
前記レンジング応答は、前記サブバンドレンジングコード、前記サブバンドレンジングコードが送信されたシンボル領域/サブチャンネル領域/フレーム番号に関する情報、及び前記サブバンドレンジングコードが受信されたバンド情報のうち少なくとも一つを含むことを特徴とする請求項４２に記載の方法。
【請求項４４】
前記調整情報は、基地局が前記サブバンドレンジングコードを受信したかに関する情報と、前記サブバンドレンジングコードを送信した移動局にパラメータ調整表示を送信しなければならないかに関する情報であることを特徴とする請求項４２に記載の方法。
【請求項４５】
前記調整情報結果値は、前記基地局によって前記サブバンドレンジングコードの受信に成功したことを通知する成功コード、前記サブバンドレンジングコードの受信に失敗したことを通知する停止コード、及び前記サブバンドレンジングコードの送信パラメータの再調整及び再伝送を要求する継続コードのうち少なくとも一つを含むことを特徴とする請求項４２に記載の方法。
【発明の詳細な説明】
【技術分野】
【０００１】
本発明は無線通信システムに関するもので、特に多重周波数帯域(multiple frequency bands)を用いて信号を送受信する無線通信システム及びこれをサポートする方法に関する。
【背景技術】
【０００２】
無線通信システムの発展につれて、この無線通信システムは、幅広い種類及び大量のサービスが提供されなければならない。このような要求を満足させるために、広帯域(broadband)無線通信システムが登場している。一方、無線通信システムは周波数リソースの量が限定されているため、広帯域無線通信システムは利用可能な周波数帯域がやはり限定されている。したがって、広帯域サービスを提供するためには、利用可能な周波数帯域の増加が要求される。
【０００３】
図１は、単一周波数帯域をサポートする構造と２個の周波数帯域をサポートする構造を概略的に示す。
【０００４】
図１の説明に先立って、無線通信システム、特にＩＥＥＥ(Institute of Electrical and Electronics Engineers)８０２．１６システムによって代表される広帯域無線通信システムにおける基地局(ＢＳ）は、一つの割り当て周波数(Frequency Assignment：以下、“ＦＡ”と称する)又は２個以上のＦＡを運用することを前提とする。さらに、ＢＳは、それ自身によって運用されるＦＡを通じて移動局(ＭＳ)に無線通信サービスを提供する。
【０００５】
図１を参照すると、ＭＳ１００は、ＦＡ１領域１２０からＦＡ２領域１４０に移動できる。ここで、ＦＡ１領域１２０は、ＭＳ１００がＦＡ１を用いて無線通信サービスを受信するサービス領域を意味し、ＦＡ２領域１４０は、ＭＳ１００がＦＡ２を用いて無線通信サービスを受信するサービス領域を意味する。
【０００６】
このとき、ＦＡ１領域１２０内に位置したＭＳ１００が一つのＦＡのみを運用できる場合、あるいはＦＡ１及びＦＡ２が相互に異なるＢＳによって運用されている場合に、ＭＳ１００は、ＦＡ１とＦＡ２との間でハンドオーバーを遂行した後に、ＦＡ２を通じて無線通信サービスを受信する。
【０００７】
それに対して、ＭＳ１５０が少なくとも２個のＦＡを運用できる場合、あるいは少なくとも２個のＦＡが一つのＢＳによって運用される場合、ＭＳ１５０は、ＦＡ１領域１６０及びＦＡ２領域１８０で共に無線通信サービスを受信することができる。上記したように複数の周波数帯域を用いてＭＳとＢＳとの間での信号送受信は、高速で大容量データを送受信するのに利点を有する。
【０００８】
しかしながら、複数の周波数帯域を使用するためにＭＳとＢＳとの間で約束された手順が存在していない。また、ＭＳとＢＳが第１のサブバンドを通じてデータを送受信する準備が完了したことを示す第１のサブバンド準備インジケータの送受信に失敗した場合に、第２のサブバンドを通じてデータ送受信を可能なようにサポートする方案が存在しない。さらに、ＭＳが複数の周波数帯域を用いてデータを送受信できることをＢＳに知らせるための方案が存在しない。
【発明の概要】
【発明が解決しようとする課題】
【０００９】
したがって、上記した従来技術の問題点を解決するために、本発明の目的は、複数の周波数帯域を用いて信号を送受信する無線通信システム及びそれをサポートする方法を提供することにある。
【００１０】
本発明の他の目的は、基本バンド(primary-band)とサブバンド(sub-band)を用いて信号を送受信する複数の周波数帯域を使用する無線通信システム及びそれをサポートする方法を提供することにある。
【００１１】
また、本発明の目的は、良好な接続状態のサブバンドを用いて信号を送受信する複数の周波数帯域を使用する無線通信システム及びそれをサポートする方法を提供することにある。
【００１２】
さらに、本発明の目的は、移動局と基地局が第１のサブバンド準備インジケータの送受信に失敗する場合、第１のサブバンドと異なる第２のサブバンドを通じて移動局と基地局がデータを送受信できるようにサポートする複数の周波数帯域を使用する無線通信システム及びそれをサポートする方法を提供することにある。
【００１３】
また、本発明の目的は、移動局が基本バンド及び少なくとも一つのサブバンドを通じてデータを送受信できることを基地局に知らせることができるようにサポートする複数の周波数帯域を使用する無線通信システム及びそれをサポートする方法を提供することにある。
【課題を解決するための手段】
【００１４】
上記のような目的を達成するために、本発明の一態様によれば、無線移動通信システムにおける信号送受信システムであって、基地局と、第１のサブバンドを通じて信号送受信の準備ができていることを示す第１のサブバンド準備インジケータを基本バンドを通じて基地局に送信し、第１のサブバンド準備インジケータの送信失敗を検出する場合に、基本バンドを通じて第１のサブバンド失敗インジケータを基地局に送信し、基地局から基本バンドを通じて第１のサブバンドと異なる第２のサブバンドに関するサブバンド情報を受信し、第２のサブバンドを通じて信号を送受信できるようにサブバンド情報によって第２のサブバンドとの同期を獲得する移動局とを含むことを特徴とする。
【００１５】
本発明の他の態様によれば、無線移動通信システムにおける信号送受信システムであって、移動局と、基本バンドを通じて第１のサブバンドに関する情報を移動局に送信し、第１のサブバンドを通じて信号送受信が可能であることを示す第１のサブバンド準備インジケータの受信失敗を検出し、第１のサブバンド準備インジケータの受信失敗を検出すると、基本バンドを通じて第１のサブバンドと異なる第２のサブバンドに関するサブバンド情報を移動局に送信し、サブバンド情報によって第２のサブバンドを通じて移動局との信号送受信を遂行する基地局とを含むことを特徴とする。
【００１６】
また、本発明の他の態様によれば、無線通信システムにおける移動局による信号送受信方法であって、第１のサブバンドを通じて信号を送受信する準備ができていることを示す第１のサブバンド準備インジケータを、基本バンドを通じて基地局に送信するステップと、第１のサブバンド準備インジケータの送信失敗が検出されると、基本バンドを通じて第１のサブバンド失敗インジケータを基地局に送信するステップと、基地局から基本バンドを通じて第１のサブバンドと異なる第２のサブバンドに関するサブバンド情報を受信するステップと、第２のサブバンドを通じて信号を送受信できるようにサブバンド情報によって第２のサブバンドとの同期を獲得するステップとを具備することを特徴とする。
【００１７】
さらに、本発明の他の態様によれば、無線通信システムにおける移動局と基地局との間の信号送受信方法であって、移動局によって基本バンドを通じてネットワークに進入し、基本バンドと異なる少なくとも一つのサブバンドとの同期を獲得するステップと、少なくとも一つのサブバンドを通じてデータを送受信する準備ができていることを示すオーバーレイモード準備インジケータを基地局に送信するステップと、オーバーレイモード準備インジケータに応答して、移動局と基地局によって少なくとも一つのサブバンドを通じて信号を送受信するステップとを具備することを特徴とする。
【発明の効果】
【００１８】
本発明は、無線通信システムで移動局によって複数の周波数帯域の使用をサポートすることによって大容量データを送受信できる効果を有する。また、本発明は、移動局と基地局が第１のサブバンド準備インジケータの送受信に失敗する場合、第２のサブバンドを通じてデータ送受信を遂行することができる。したがって、本発明は、より安定した大容量データの送受信を達成することができる。
【００１９】
本発明のより完全な理解及びそれに従う多くの利点は、添付された図面を考慮すれば、後述する詳細な説明を参照してより容易に理解できる。
【図面の簡単な説明】
【００２０】
【図１】単一周波数帯域をサポートする構造と２個の周波数帯域をサポートする構造を概略的に示す図である。
【図２】本発明の実施形態によるオーバーレイ通信システムにおけるＭＳとＢＳとの間のデータ送受信プロセスを示す図である。
【図３】本発明の実施形態によるオーバーレイ通信システムにおいてＭＳによってＢＳにオーバーレイモード遂行を通知するプロセスを示す図である。
【図４】本発明の一実施形態によるオーバーレイ通信システムのプロセスを示す図である。
【図５】本発明の一実施形態によるオーバーレイ通信システムのプロセスを示す図である。
【図６】本発明の一実施形態によるオーバーレイ通信システムにおけるＭＳとＢＳとの間のデータ送受信に対するプロセスを示す図である。
【図７】本発明の一実施形態によるオーバーレイ通信システムにおけるＭＳとＢＳとの間のデータ送受信に対するプロセスを示す図である。
【図８】本発明の一実施形態によるオーバーレイ通信システムにおけるＭＳとＢＳとの間のデータ送受信に対するプロセスを示す図である。
【図９】本発明の一実施形態によるオーバーレイ通信システムにおけるＭＳとＢＳとの間のデータ送受信に対するプロセスを示す図である。
【図１０】本発明の一実施形態によるオーバーレイ通信システムにおけるＭＳとＢＳとの間のデータ送受信に対するプロセスを示す図である。
【図１１】本発明の一実施形態によるオーバーレイ通信システムにおけるＭＳとＢＳとの間のデータ送受信に対するプロセスを示す図である。
【図１２】本発明の実施形態によるオーバーレイ通信システムにおけるＭＳによってサブバンドに対するレンジングプロセスを示す図である。
【図１３】本発明の実施形態によるオーバーレイ通信システムにおけるＢＳによってサブバンドに対するレンジングプロセスを示す図である。
【発明を実施するための形態】
【００２１】
下記の図１〜図１３及び多様な実施形態は、一例として本発明の原理を説明するために使用されるだけで、開示された範囲に限定して解釈されてはならない。本発明の原理が無線通信システムで適当に配列されて実現されることは、当該技術分野における通常の知識を持つ者には明らかである。
【００２２】
以下、本発明の望ましい実施形態を添付の図面を参照して詳細に説明する。
【００２３】
下記の説明で、本発明に関連した公知の機能又は構成に関する具体的な説明が本発明の要旨を不明にすると判断された場合に、その詳細な説明を省略する。
【００２４】
本発明の実施形態では、複数の周波数帯域を用いてＭＳとＢＳとの間のデータ送受信をサポートする無線通信システム及び方法に関して具体的に説明する。
【００２５】
また、本発明の実施形態では、ＭＳ及びＢＳが第１のサブバンドを通じてデータを送受信する準備が完了したことを示す第１のサブバンド準備インジケータの送受信に失敗した場合、第２のサブバンドを通じてデータの送受信が可能な複数の周波数帯域を使用する無線通信システム及び方法に関して詳細に説明する。
【００２６】
さらに、本発明の実施形態では、ＭＳが複数の周波数帯域を用いてデータを送受信できることを通知できる複数の周波数帯域を使用する無線通信システム及び方法について具体的に説明する。ここで、周波数帯域は、割り当て周波数(ＦＡ)となり得る。
【００２７】
下記の本発明の実施形態において、ＭＳとＢＳが複数の周波数帯域を用いて信号を送受信するモードは“オーバーレイ(overlay)モード”と呼ばれる。また、オーバーレイモードで動作する無線通信システムは“オーバーレイ通信システム”と呼ばれる。説明の便宜上、ＩＥＥＥ８０２．１６標準を使用する無線通信システム(“ＩＥＥＥ８０２．１６通信システム”）は、オーバーレイ通信システムによって信号を送受信するシステム及び方法について後述される無線通信システムの一例として採用される。しかしながら、本発明によって提案されたオーバーレイ通信システムの信号送受信システム及び方法は、複数の周波数帯域を用いるすべての無線通信システムに共通に適用されることができる。すなわち、本発明によって提案された信号送受信方式は、ＩＥＥＥ８０２．１６通信システムだけでなく、モバイルワイマックス(Mobile WiMAX)システムのような他の通信システムにも適用できることはもちろんである。
【００２８】
図２は、本発明の実施形態によるオーバーレイ通信システムにおけるＭＳとＢＳとの間のデータ送受信プロセスを示す。
【００２９】
オーバーレイ通信システムは、ＭＳ２００とＢＳ２１０を含み、ＢＳ２１０は、基本バンド(primary FA)２１２及びサブバンド(secondary FA)２１４を含む２個の周波数帯域を運用する。しかしながら、本発明の実施形態によるデータ送受信プロセスは２個以上の周波数帯域を運用するオーバーレイ通信システムに適用できることは、当該技術分野における通常の知識を持つ者には明らかである。
【００３０】
図２を参照すると、ＭＳ２００は、デフォルト(default)バンドである基本バンド２１２を通じてＢＳ２１０との初期ネットワークエントリ手順を遂行する(ステップ２０１)。初期ネットワークエントリ手順は、オーバーレイモードをサポートするか否かに関する情報を交換するためのオーバーレイモードサポート情報交換ステップを含み、オーバーレイモードをサポートするために利用可能なサブバンド２１４に関する情報を交換するステップ、すなわちオーバーレイモードサポート利用可能なサブバンド情報交換ステップを含む。
【００３１】
サブバンド２１４に関する情報(以下、“サブバンド情報”と称する)は、サブバンド２１４の識別子を含み、このサブバンド識別子は周波数帯域識別子となり得る。さらに、サブバンド情報は、ヘッダー、サブヘッダー、及び一般的な制御メッセージのうちいずれか一つを用いて交換されることができ、下記の＜表１＞に示すような情報を含むことができる。
【００３２】
【表１】
2011514774.tif 000003
【００３３】
ＭＳ２００は、ステップ２０１で獲得したサブバンド情報を用いてサブバンド２１４に対する同期を獲得し、ＢＳ２１０とのレンジング(ranging)を遂行する(ステップ２０３)。
【００３４】
ＭＳ２００は、ＢＳ２１０にオーバーレイモードを遂行する通知(オーバーレイモード遂行通知)を送信する(ステップ２０５)。すなわち、ＭＳは、サブバンドを通じてデータを送受信する準備ができたことを知らせる情報(例えば、サブバンド準備(readiness)インジケータ)をＢＳ２１０に伝送する。このサブバンド準備インジケータは、帯域幅要求ヘッダー又はアップリンクデータを用いて送信されることができる。
【００３５】
オーバーレイモード遂行通知を受信すると、ＢＳ２１０は、ＭＳ２００にその応答メッセージを伝送する(ステップ２０７)。応答メッセージは、サブバンド準備インジケータが帯域幅要求ヘッダーを用いて送信される場合に、帯域幅要求ヘッダーに対応してＢＳ２１０によってＭＳ２００に割り当てられる帯域幅を含む帯域幅割り当てメッセージとなり得る。さらに、応答メッセージは、サブバンド準備インジケータがアップリンクデータを用いて送信される場合に、ＢＳ２１０がアップリンクデータを受信したことを示す肯定応答(ACKnowledgement：ＡＣＫ)メッセージとなり得る。
【００３６】
応答メッセージを受信した場合、ＭＳ２００は、基本バンド２１２及びサブバンド２１４を通じてＢＳ２１０とのデータ送受信を遂行する(ステップ２０９)。
【００３７】
次に、図３を参照して図２のステップ２０５についてより詳細に説明する。
【００３８】
図３は、本発明の実施形態によるオーバーレイ通信システムにおいてＭＳによってＢＳにオーバーレイモード遂行を通知するプロセスを示す。
【００３９】
図３の説明に先立って、オーバーレイ通信システムは、ＭＳ３００とＢＳ３１０を含み、ＢＳ３１０は、基本バンド３１２とサブバンド３１４を含む２個の周波数帯域を運用すると仮定する。しかしながら、後述する本発明の実施形態によるデータ送受信プロセスは、２個以上の周波数帯域を運用するオーバーレイ通信システムにも適用可能であることは、当業者には自明なことである。
【００４０】
図３を参照すると、ＭＳ３００は、サブバンド準備インジケータを送信するための帯域幅割り当てを要求する帯域幅要求コードをＢＳ３１０に送信する(ステップ３０１)。割り当てが要求される帯域幅は、アップリンクリソースに該当する。
【００４１】
帯域幅要求コードを受信すると、ＢＳ３１０は、ＭＳ３００にサブバンド準備インジケータ送信のための帯域幅を割り当てる(ステップ３０３)。ＭＳ３００は、割り当てられた帯域幅を用いてＢＳ３１０にサブバンド準備インジケータを送信する(ステップ３０５)。サブバンド準備インジケータを受信すると、ＢＳ３１０は、ＭＳがサブバンドを用いてデータを送信する準備ができたことを識別することができる。
【００４２】
しかしながら、サブバンド準備インジケータの送受信に失敗する場合がたびたび発生することがある。例えば、サブバンド準備インジケータの送受信に失敗する場合は、ＭＳ３００がサブバンド準備インジケータの送信に失敗した場合と、ＭＳ３００がサブバンド準備インジケータを送信したが、ＢＳ３１０がサブバンド準備インジケータの受信に失敗した場合を含む。ＭＳ３００がサブバンド準備インジケータの送信に失敗した理由は、ＢＳ３１０が、ＭＳ３００によって送信された帯域幅要求コードの受信に失敗した場合と、ＭＳ３００がＢＳ３１０によって割り当てられた帯域幅の受信に失敗した場合を含む。
【００４３】
前述したようにサブバンド準備インジケータの送受信に失敗する場合の大部分は、該当サブバンドに対する接続が良好でない状態である場合に発生する。
【００４４】
次に、サブバンド準備インジケータの送受信に失敗する場合に、ＢＳ３１０とＭＳ３００によってデータを送受信する方式について、図４及び図５を参照して説明する。後述する実施形態は、第１のサブバンドを通じるサブバンド準備インジケータの送受信に失敗する場合、他のサブバンドを用いてデータの送受信をサポートする実施形態について説明する。
【００４５】
図４は、本発明の一実施形態によるオーバーレイ通信システムのプロセスを示す。すなわち、図４は、ＭＳによって第１のサブバンドを利用するための第１のサブバンド準備インジケータの送受信が失敗したが、検出時に他のサブバンド(第２のサブバンド)を利用するためにサブバンド準備インジケータ(第２のサブバンド準備インジケータ)を送受信するプロセスを示す。
【００４６】
オーバーレイ通信システムは、ＭＳ４００とＢＳ４１０を含み、ＢＳ４１０は、基本バンド４１２、第１のサブバンド４１４、第２のサブバンド４１６を含む３個の周波数帯域を運用する。また、本発明の実施形態では、ＭＳ４００が第１のサブバンド準備インジケータの送信に失敗した場合を一例として説明する。
【００４７】
図４を参照すると、ＢＳ４１０は、基本バンド４１２を通じて第１のサブバンドに関する情報(第１のサブバンド情報)をＭＳ４００に送信する(ステップ４０１)。第１のサブバンド情報を受信すると、ＭＳ４００は、第１のサブバンド４１４を通じて帯域幅要求コードをＢＳ４１０に送信する(ステップ４０３)。
【００４８】
ＢＳ４１０は、ＭＳ４００に帯域幅を割り当てる(ステップ４０５)。ＭＳ４００は、ＢＳ４１０によって割り当てられた帯域幅を用いてＢＳ４１０に第１のサブバンド準備インジケータを送信する(ステップ４０７)。
【００４９】
ＭＳ４００は、第１のサブバンド準備インジケータを送信するのに失敗したことを検出する(ステップ４０９)。上記したように、第１のサブバンド準備インジケータの送信失敗は、大きく３つの理由を有する。第１の理由は、ＢＳ４１０がＭＳ４００によって送信された帯域幅要求コードの受信に失敗した場合であり、第２の理由は、ＭＳ４００がＢＳ４１０によって送信された割り当て帯域幅の受信に失敗した場合であり、第３の理由は、ＢＳ４１０がＭＳ４００によって送信された第１のサブバンド準備インジケータの受信に失敗した場合である。
【００５０】
しかしながら、ＭＳ４００が第１の理由と第２の理由とを区別できないため、これら２つの理由を同一であると見なす可能性がある。したがって、第１のサブバンド準備インジケータを送信するのに失敗したことを検出するために、次のような２つの方式が提案されることができる。
【００５１】
第１の方式は、第１のサブバンド準備インジケータの送信失敗が第１及び第２の理由に原因があることを検出する。
【００５２】
特に、第１の方式によると、ＭＳ４００は、ＢＳ４１０に帯域幅要求コードを送信し(ステップ４０３）、同時に帯域幅要求に対する応答を待機する第１のタイマを開始する。ＭＳ４００は、第１のタイマが満了する前に帯域幅要求に対する応答が受信されたか否かを監視(monitor)して判定する。帯域幅要求に対する応答を受信する場合には、ＭＳ４００は、ＢＳによって帯域幅の割り当てを認知する。したがって、第１のタイマが帯域幅の割り当てなしに満了した場合、ＭＳ４００は、第１のサブバンド準備インジケータを送信するのに失敗した原因が第１の理由又は第２の理由であると判定する。
【００５３】
第２の方式は、第３の理由によって、第１のサブバンド準備インジケータの送信に失敗したと検出する。
【００５４】
第２の方式によると、帯域幅が割り当てられた場合、ＭＳ４００は、割り当てられた帯域幅を用いてＢＳ４１０に第１のサブバンド準備インジケータを送信する(ステップ４０７)。このとき、ＭＳ４００は、第１のサブバンド準備インジケータを送信する(ステップ４０７）と同時に、第１のサブバンド準備インジケータに対する応答メッセージである帯域幅割り当てメッセージ又は受信メッセージを待機する第２のタイマを開始する。ＭＳ４００は、第２のタイマが終了する以前、すなわち予め設定された待機時間が経過する前に応答メッセージを監視する。ＭＳ４００は、第１のサブバンド準備インジケータに対する応答メッセージを受信する場合に、第１のサブバンドを用いるデータ送信が許容されることを認知する。したがって、第２のタイマが終了したが、第１のサブバンド準備インジケータに対する応答メッセージが受信されていない場合、ＭＳ４００は、第１のサブバンド準備インジケータ送信を失敗したと判定して検出する。
【００５５】
一方、ＭＳ４００は、第１のサブバンド準備インジケータの送信に失敗したと検出する場合(ステップ４０９)、第１のサブバンドを用いるデータ送受信に対する試みが失敗したことを示す失敗インジケータ(第１のサブバンド失敗インジケータ)を基本バンド４１２を通じてＢＳ４１０に送信する(ステップ４１１)。ＭＳ４００から第１のサブバンド失敗インジケータを受信すると、ＢＳ４１０は、基本バンド４１２を用いて第１のサブバンドと異なる第２のサブバンドに関する情報(第２のサブバンド情報)をＭＳ４００に送信する(ステップ４１３)。
【００５６】
ＭＳ４００は、ステップ４１３で獲得した第２のサブバンド情報を用いて第２のサブバンド４１６に対する同期を獲得し、ＢＳ４１０とのレンジングを遂行する(ステップ４１５)。
【００５７】
図５は、本発明の一実施形態によるオーバーレイ通信システムのプロセスを示す。すなわち、図５は、ＢＳによって第１のサブバンド準備インジケータの送受信が失敗した場合に第２のサブバンドを利用するために第２のサブバンド準備インジケータを送受信するプロセスを示す。
【００５８】
オーバーレイ通信システムは、ＭＳ５００と、ＢＳ５１０を含み、ＢＳ５１０は、基本バンド５１２、第１のサブバンド５１４、第２のサブバンド５１６を含む３つの周波数帯域を運用する。また、本発明の実施形態では、ＢＳ５１０が第１のサブバンド準備インジケータの受信に失敗した場合を一例として説明する。
【００５９】
図５を参照すると、ＢＳ５１０は、基本バンド５１２を通じて第１のサブバンド情報をＭＳ５００に送信する(ステップ５０１)。その後、ＢＳ５１０は、ＭＳ５００からの第１のサブバンド準備インジケータを待機するタイマを開始する(ステップ５０３)。本発明の実施形態では、タイマは、第１のサブバンドインジケータの受信を検出するために開始されるが、第１のサブバンドを通じてデータを送受信する準備ができていることを示す任意の情報受信を検出するためにも使用可能である。タイマ値は、ＢＳ５１０によってＭＳ５００から第１のサブバンド準備インジケータの受信に十分な時間を考慮して決定される。すなわち、タイマ値は、ＢＳ５１０によって第１のサブバンド情報が提供されてからＭＳ５００から送信された第１のサブバンド準備インジケータがＢＳ５１０によって受信されるまでの時間を考慮して決定すべきである。ＢＳ５１０は、ＭＳ５００から第１のサブバンド準備インジケータの受信に失敗し、タイマを満了する(ステップ５０５)。
【００６０】
その後、ＢＳ５１０は、第１のサブバンド準備インジケータの受信に失敗したことを検出する(ステップ５０７)。第１のサブバンド準備インジケータの受信失敗を検出した後に、ＢＳ５１０は、基本バンドを通じて第１のサブバンド５１４と異なる第２のサブバンド情報をＭＳ５００に送信する(ステップ５０９)。ＭＳ５００は、ステップ５０９で獲得した第２のサブバンド情報を用いて、第２のサブバンド５１６に対する同期を獲得し、ＢＳ５１０とのレンジングを遂行する(ステップ５１１)。
【００６１】
その後、ＢＳによって運用されるすべてのサブバンドを通じてＭＳとＢＳとの間のデータを送受信する方式について、図６乃至図９を参照して説明する。
【００６２】
図６は、本発明の一実施形態によるオーバーレイ通信システムにおけるＭＳとＢＳとの間のデータ送受信プロセスを示す。特に、図６は、ＭＳとＢＳとの間のデータ送受信前に、サブバンドを用いて、該当サブバンドを通じてデータを送受信する準備ができていることを示すサブバンド準備指示を送受信するプロセスを示す。
【００６３】
図６の説明に先立って、オーバーレイ通信システムは、ＭＳ６００とＢＳ６１０を含むと仮定する。ＢＳ６１０は、基本バンド６１２、第１のサブバンド６１４、第２のサブバンド６１６を含む３つの周波数帯域を運用する。
【００６４】
図６を参照すると、ＢＳ６１０は、基本バンド６１２を通じて第１のサブバンド情報及び第２のサブバンド情報をＭＳ６００に送信する(ステップ６０１)。ＭＳ６００は、ステップ６０１で獲得した第１及び第２のサブバンド情報を用いて該当サブバンドに対する同期を獲得し、第１のサブバンド及び第２のサブバンドに対するレンジングを遂行する(ステップ６０３)。
【００６５】
ＭＳ６００は、第１のサブバンド６１４を用いて該当サブバンド６１４を通じてデータを送受信する準備ができていることを示すスクランブルコード(scramble code)をＢＳ６１０に送信する(ステップ６０５)。スクランブルコードは、ＭＳ６００の識別子がスクランブルされるスクランブルされたコードを意味する。このスクランブルされたコードは、ＭＳの識別子をスクランブルコードを用いてスクランブリングし、あるいはＭＳ識別子によってマスクされたスクランブルコードによって得られることができる。スクランブルコードを受信すると、ＢＳ６１０は、その内部の制御器６１７を通じてＭＳ６００が第１のサブバンド６１４を通じてデータ送受信する準備ができていることを認知する(ステップ６０７)。
【００６６】
また、ＭＳ６００は、第２のサブバンド６１６を通じてスクランブルコードをＢＳ６１０に送信する(ステップ６０９)。スクランブルコードを受信すると、ＢＳ６１０は、制御器６１７を通じて、ＭＳ６００が第２のサブバンド６１６を通じてデータを送受信する準備ができていることを認知する(ステップ６１１)。
【００６７】
該当サブバンド６１４，６１６を通じてデータを送受信する準備ができていることを示すスクランブルコードが送信されたＭＳ６００は、基本バンド６１２、第１のサブバンド６１４、及び第２のサブバンド６１６を通じてＢＳ６１０とのデータ送受信を遂行する(ステップ６１３)。
【００６８】
図７は、本発明の一実施形態によるオーバーレイ通信システムにおけるＭＳとＢＳとの間のデータ送受信プロセスを示す。特に、図７は、ＭＳとＢＳとの間のデータ送受信前に、特定サブバンドを用いて、複数のサブバンドを通じてデータを送受信する準備ができていることを示すサブバンド準備指示を送受信するプロセスを示す。
【００６９】
オーバーレイ通信システムは、ＭＳ７００とＢＳ７１０を含む。ＢＳ７１０は、基本バンド７１２、第１のサブバンド７１４、第２のサブバンド７１６を含む３つの周波数帯域を運用する。
【００７０】
図７を参照すると、ＢＳ７１０は、基本バンド７１２を通じて第１のサブバンド情報及び第２のサブバンド情報をＭＳ７００に送信する(ステップ７０１)。ＭＳ７００は、ステップ７０１で獲得した第１及び第２のサブバンド情報を用いて該当サブバンドに対する同期を獲得し、第１のサブバンド及び第２のサブバンドに対するレンジングを遂行する(ステップ７０３)。
【００７１】
ＭＳ７００は、第１のサブバンド７１４を用いて該当サブバンド７１４及び７１６を通じてデータを送受信する準備ができていることを示すスクランブルコードをＢＳ７１０に送信する(ステップ７０５)。本発明の実施形態ではスクランブルコードが第１のサブバンド７１４を通じて送信される一例を説明したが、スクランブルコードは、ＢＳ７１０によって運用されるサブバンドの中から任意のサブバンドを通じても送信されることができる。スクランブルコードを受信すると、ＢＳ７１０は、その内部の制御器７１３を通じて、ＭＳ７００が第１のサブバンド７１４及び第２のサブバンド７１６を通じてデータを送受信する準備ができていることを認知する(ステップ７０７)。
【００７２】
該当サブバンド７１４，７１６を通じてデータを送受信する準備ができていることを示すスクランブルコードを送信したＭＳ７００は、基本バンド７１２、第１のサブバンド７１４、及び第２のサブバンド７１６を通じてＢＳ７１０とのデータ送受信を遂行する(ステップ７０９)。
【００７３】
図８は、本発明の一実施形態によるオーバーレイ通信システムにおけるＭＳとＢＳとの間のデータ送受信プロセスを示す。特に、図８は、ＭＳとＢＳとの間のデータ送受信前に、基本バンドを用いて、複数のサブバンドを通じてデータを送受信する準備ができていることを示すサブバンド準備指示を送受信するプロセスを示す。
【００７４】
オーバーレイ通信システムは、ＭＳ８００とＢＳ８１０を含む。ＢＳ８１０は、基本バンド８１２、第１のサブバンド８１４、第２のサブバンド８１６を含む３つの周波数帯域を運用する。
【００７５】
図８を参照すると、ＢＳ８１０は、基本バンド８１２を通じて第１のサブバンド情報及び第２のサブバンド情報をＭＳ８００に送信する(ステップ８０１)。ＭＳ８００は、ステップ８０１で獲得した第１及び第２のサブバンド情報を用いて該当サブバンドに対する同期を獲得し、第１のサブバンド及び第２のサブバンドに対するレンジングを遂行する(ステップ８０３)。
【００７６】
ＭＳ８００は、基本バンド８１２を用いて該当サブバンド８１４及び８１６を通じてデータを送受信する準備ができていることを示すスクランブルコードをＢＳ８１０に送信する(ステップ８０５)。スクランブルコードを受信すると、ＢＳ８１０は、その内部の制御器８１３を通じてＭＳ８００が第１のサブバンド８１４及び第２のサブバンド８１６を通じてデータを送受信する準備ができていることを認知する(ステップ８０７)。
【００７７】
該当サブバンド８１４，８１６を通じてデータを送受信する準備ができていることを示すスクランブルコードを送信したＭＳ８００は、基本バンド８１２、第１のサブバンド８１４、及び第２のサブバンド８１６を通じてＢＳ８１０とのデータ送受信を遂行する(ステップ８０９)。
【００７８】
図９は、本発明の一実施形態によるオーバーレイ通信システムにおけるＭＳとＢＳとの間のデータ送受信プロセスを示す。特に、図９は、ＭＳとＢＳとの間のデータ送受信前に、基本バンドを用いて、複数のサブバンドを通じてデータを送受信する準備ができていることを示すサブバンド準備指示をメッセージ形態で送受信するプロセスを示す。
【００７９】
オーバーレイ通信システムは、ＭＳ９００とＢＳ９１０を含む。ＢＳ９１０は、基本バンド９１２、第１のサブバンド９１４、第２のサブバンド９１６を含む３つの周波数帯域を運用する。
【００８０】
図９を参照すると、ＢＳ９１０は、基本バンド９１２を通じて第１のサブバンド情報及び第２のサブバンド情報をＭＳ９００に送信する(ステップ９０１)。ＭＳ９００は、ステップ９０１で獲得した第１及び第２のサブバンド情報を用いて該当サブバンドに対する同期を獲得し、第１のサブバンド９１４及び第２のサブバンド９１６に対するレンジングを遂行する(ステップ９０３)。
【００８１】
ＭＳ９００は、基本バンド９１２を用いて該当サブバンド９１４及び９１６を通じてデータを送受信する準備ができていることを示すサブバンド準備指示メッセージをＢＳ９１０に送信する(ステップ９０５)。サブバンド準備指示メッセージを受信すると、ＢＳ９１０は、その内部の制御器９１３を通じて、ＭＳ９００が第１のサブバンド９１４及び第２のサブバンド９１６を通じてデータ送受信する準備ができていることを認知する(ステップ９０７)。
【００８２】
該当サブバンド９１４，９１６を通じてデータを送受信する準備ができていることを示すサブバンド準備指示メッセージが送信されたＭＳ９００は、基本バンド９１２、第１のサブバンド９１４、及び第２のサブバンド９１６を通じてＢＳ９１０とのデータ送受信を遂行する(ステップ９０９)。
【００８３】
一方、サブバンド準備指示メッセージは、上述したすべてのサブバンド９１４，９１６を通じてデータを送受信する準備ができたことを示すだけでなく、各サブバンドを通じたデータ送受信が可能であるか否かを示すことができる。例えば、ＭＳ９００が第１のサブバンド９１４を通じてデータを送受信する準備ができたが、第２のサブバンド９１６を通じてデータを送受信する準備ができていない場合、ＭＳ９００は、ステップ９０５で、第１のサブバンド９１４を通じてデータ送受信が可能であるが、第２のサブバンド９１６を通じてはデータ送受信が不可能であることを知らせるサブバンド準備指示メッセージをＢＳ９１０に送信する。このとき、各サブバンドを通じたデータ送受信が可能であるかに関する情報は、ビットマップ(bitmap)情報、データ送受信が可能なサブバンドの識別子情報、及びデータ送受信が不可能なサブバンドの識別子情報などで表現されることができる。
【００８４】
第２のサブバンド９１６を通じてデータ送受信が不可能であることを示すサブバンド準備指示メッセージを受信すると、ＢＳ９１０は、ＭＳ９００に図４のステップ４１３又は図５のステップ５０９と同様な方式で、第２のサブバンド及び第３のサブバンドに関する情報を提供することができる。
【００８５】
図１０は、本発明の他の実施形態によるオーバーレイ通信システムにおけるＭＳとＢＳとの間のデータ送受信プロセスを示す。
【００８６】
オーバーレイ通信システムは、ＭＳ１０００とＢＳ１０１０を含む。ＢＳ１０１０は、基本バンド１０１２、第１のサブバンド１０１４、及び第２のサブバンド１０１６を含む３個の周波数帯域を運用する。
【００８７】
図１０を参照すると、ＭＳ１０００は、基本バンド１０１２を通じてＢＳ１０１０とのネットワークエントリプロセスを遂行する(ステップ１００１)。ネットワークエントリプロセスは、初期ネットワークエントリプロセス、ハンドオーバープロセス、及びアイドルモードのネットワークリエントリプロセスを含む。ＭＳ１０００は、オーバーレイモードの動作に使用されるサブバンドの情報を用いて第１のサブバンド１０１４及び第２のサブバンド１０１６に対する同期を獲得する(ステップ１００３及びステップ１００７)。サブバンドの情報はステップ１００１又はそれ以前に獲得されると仮定する。また、ＭＳ１０００によって第１のサブバンド１０１４及び第２のサブバンド１０１６に対する同期を獲得するプロセスは、第１のサブバンド１０１４及び第２のサブバンド１０１６を通じて伝送される同期チャンネルとシステム情報を含むシステム情報チャンネルを受信するステップを含む。
【００８８】
その後、ＭＳ１０００は、第１のサブバンド１０１４及び第２のサブバンド１０１６に対するレンジングを遂行する(ステップ１００５及びステップ１００９)。ここで、レンジングは、例えば周期的レンジング(periodic  ranging)に該当する。レンジングプロセス(ステップ１００５及びステップ１００９）は、ＭＳ１０００によって第１のサブバンド１０１４及び第２のサブバンド１０１６を通じてＢＳ１０１０に周期的レンジングコードを送信してレンジングを要求するステップと、ＢＳ１０１０からレンジング要求に対するレンジング応答メッセージを受信するステップとを含む。
【００８９】
その後、ＭＳ１０００は、ＢＳ１０１０の制御器１０１７にオーバーレイモード準備インジケータを送信する(ステップ１０１１)。すなわち、ＭＳ１０００は、ＢＳ１０１０の制御器１０１７にオーバーレイモード準備インジケータを送信し、それによって第１のサブバンド１０１４及び第２のサブバンド１０１６を通じてデータを送受信する準備ができたことを知らせる。その次に、ＭＳ１０００は、基本バンド１０１２、第１のサブバンド１０１４、及び第２のサブバンド１０１６を通じてＢＳ１０１０とのデータ送受信を遂行する(ステップ１０１３)。
【００９０】
図１０に示す実施形態において、各サブバンドに対する同期を獲得した(ステップ１００３又はステップ１００７)後、該当サブバンドに対するレンジングプロセスが遂行される(ステップ１００５又はステップ１００９)。しかしながら、レンジングプロセスは、システム状況によって省略できることはもちろんである。レンジングプロセス(ステップ１００５又はステップ１００９)が省略される場合、ＭＳ１０００は、サブバンドに対する同期を獲得した(ステップ１００３又はステップ１００７)後に、レンジングプロセス(ステップ１００５又はステップ１００９)の遂行なしにオーバーレイモード準備インジケータを送信できる(ステップ１０１１)。
【００９１】
一方、ステップ１０１１のオーバーレイモード準備インジケータは、基本バンド１０１２、第１のサブバンド１０１４、及び第２のサブバンド１０１６のうちいずれか一つを通じて送信されることができ、オーバーレイモード準備インジケータはメディアアクセス制御(Media Access Control：以下、“ＭＡＣ”と称する)階層の制御メッセージ(以下、“ＭＡＣ制御メッセージ”と称する)、チャンネル品質表示(Channel Quality Indication：以下、“ＣＱＩ”と称する)コード、予め割り当てられたコードの形態で送信されることができる。
【００９２】
(１)ＭＡＣ制御メッセージ
【００９３】
オーバーレイモード準備インジケータは、ＭＡＣ制御メッセージ形態で送信され、このときＭＡＣ制御メッセージは下記の＜表２＞のように示すことができる。ＭＡＣ制御メッセージは、一般的なＭＡＣ制御メッセージ、ヘッダー、サブヘッダー、及び拡張サブヘッダーのうち少なくとも一つに該当する。
【００９４】
【表２】
2011514774.tif 000004
【００９５】
＜表２＞に示すＭＡＣ制御メッセージの形態で送信されるオーバーレイモード準備インジケータは、メッセージタイプフィールドとサブバンドビットマップフィールドを含む。メッセージタイプフィールドは、ＭＡＣ制御メッセージのタイプを示す。メッセージタイプフィールドが、例えば周波数オーバーレイ(ＦＯ)準備(readiness)インジケータに設定される場合に、ＭＡＣ制御メッセージはオーバーレイモード準備インジケータメッセージであることがわかる。
【００９６】
サブバンドビットマップフィールドは、ＭＳによってデータ送受信に使用されるサブバンドが使用される準備ができているか否かを示す。サブバンドビットマップフィールドに記録されるビットマップのビットの順序は、ＢＳによってＭＳに割り当てられたサブバンドの順序に対応する。例えば、ＢＳ１０１０は、ＭＳ１０００に第２のサブバンド１０１６、その後に第１のサブバンド１０１４の順にサブバンドを割り当て、サブバンドビットマップフィールドは８ビットを含むことができる。このとき、ＭＳ１０００がＢＳ１０１０に第２のサブバンド１０１６と第１のサブバンド１０１４がデータ送受信のために準備ができたことを知らせるためには、ＭＳ１０００は、サブバンドビットマップフィールドを“１１００００００”に設定してＢＳ１０１０に送信する。サブバンドビットマップフィールドが“１１００００００”に設定されるＭＡＣ制御メッセージを受信すると、ＢＳ１０１０は、ＭＳ１０００が第２のサブバンド１０１６及び第１のサブバンド１０１４を通じてデータを送受信する準備ができたことを認知する。
【００９７】
ＭＡＣ制御メッセージには、トランザクション識別子フィールドを含むことができる。トランザクション識別子は、オーバーレイモード準備インジケータに対する応答信号が別途に定義される場合に使用される。オーバーレイモード準備インジケータに対する応答信号は、図１１を参照して詳細に説明する。
【００９８】
(２)ＣＱＩコード
【００９９】
オーバーレイモード準備インジケータは、ＣＱＩコード形態で送信されることができる。特に、ＢＳで使用可能なすべてのサブバンドの各々に対するオーバーレイモード準備インジケータは、ＣＱＩコードの形態で送信されることができる。すなわち、ＢＳで使用可能なすべてのサブバンドの各々に対して、オーバーレイモード準備インジケータに使用されるＣＱＩコードが定義される。ＢＳによって割り当てられたサブバンドの中からデータ送受信に使用する準備ができたサブバンドを知らせるために、ＭＳは、定義されたＣＱＩコードをＣＱＩチャンネルを通じて送信する。ＣＱＩチャンネルは、ＭＳの基本バンドに割り当てられ、ＣＱＩコードの順序はＭＳに割り当てられたサブバンドの順序に対応する。例えば、ＢＳ１０１０がＭＳ１０００に第２のサブバンド１０１６、第１のサブバンド１０１４の順にサブバンドを割り当てると仮定する。その後、ＭＳ１０００がＢＳ１０１０に第２のサブバンド１０１６と第１のサブバンド１０１４がデータ送受信の準備ができていることを通知するために、ＭＳ１０００は、オーバーレイモード準備インジケータ用として定義されたＣＱＩコードの中から第１のＣＱＩコードと第２のＣＱＩコードをＣＱＩチャンネルを通じて送信する。第１のＣＱＩコードと第２のＣＱＩコードを受信すると、ＢＳ１０１０は、ＭＳ１０００が第２のサブバンド１０１６及び第１のサブバンド１０１４を通じてデータを送受信する準備ができたことを認知する。
【０１００】
(３)予め割り当てられたコード
【０１０１】
オーバーレイモード準備インジケータは、予め割り当てられたコード形態で送信されることができる。
【０１０２】
ＢＳ１０１０は、ＭＳ１０００とのネットワークエントリ/リエントリの登録(registration）プロセス又はオーバーレイモード交渉プロセスでＭＳ１０００にコード(例えば、レンジングコード)を予め割り当てる。ＭＳ１０００は、予め割り当てられたレンジングコードを基本バンド１０１２又は各サブバンド１０１４又は１０１６を通じて送信できる。例えば、予め割り当てられたレンジングコードは、少なくとも一つのサブバンドに対してレンジングが完了した場合、少なくとも一つのサブバンドを用いて送信され、少なくとも一つのサブバンドに対するレンジングが完了していない場合には、基本バンドを用いて送信される。
【０１０３】
ＭＳ１０００は、予め割り当てられたレンジングコードを各サブバンド１０１４及び１０１６を通じて送信することによって、ＭＳ１０００は、予め割り当てられたレンジングコードを用いて各サブバンド１０１４及び１０１６を通じてレンジングを遂行すると同時に、各サブバンド１０１４及び１０１６を通じてデータを送受信する準備ができていることをＢＳ１０１０に通知できる。
【０１０４】
すなわち、図１０のステップ１００５及び１００９で、ＭＳ１０００は、第１のサブバンド１０１４及び第２のサブバンド１０１６を通じて周期的レンジングコードを送信する代わりに、第１のサブバンド１０１４と第２のサブバンド１０１６を通じて予め割り当てられたレンジングコードを送信することで、第１のサブバンド１０１４と第２のサブバンド１０１６に対するレンジングを遂行し、ＢＳ１０１０に第１及び第２のサブバンド１０１４，１０１６を通じてデータを送受信する準備ができていることを通知することができる。また、レンジングプロセス(ステップ１００５及び１００９)が省略されても、ＭＳ１０００は、第１のサブバンド１０１４と第２のサブバンド１０１６を通じて予め割り当てられたレンジングコードを送信し、ＢＳ１０１０に第１及び第２のサブバンド１０１４，１０１６を通じてデータを送受信する準備ができていることを通知する。
【０１０５】
一方、ＭＳ１０００は、予め割り当てられたレンジングコードを基本バンド１０１２を通じて送信することによって、基本バンド１０１２を通じてデータを送受信する準備ができたことをＢＳ１０１０に通知することができる。
【０１０６】
すなわち、図１０のステップ１００５及び１００９以後に、ＭＳ１０００は、基本バンド１０１２を通じて予め割り当てられたレンジングコードを送信してＢＳ１０１０に基本バンド１０１２を通じてデータを送受信する準備ができたことを知らせることができる。また、レンジングプロセス(ステップ１００５及びステップ１００９)が省略されても、ＭＳ１０００は、基本バンド１０１２を通じて予め割り当てられたレンジングコードを送信してＢＳ１０１０に基本バンド１０１２を通じてデータを送受信する準備ができたことを通知することができる。
【０１０７】
一方、オーバーレイモードで動作するＭＳがハンドオーバーを遂行する場合、オーバーレイモード準備インジケータは、予め割り当てられたレンジングコード形態で送信され得る。
【０１０８】
ＭＳは、サービングＢＳとのハンドオーバー交渉プロセスで、サービングＢＳから受信されるハンドオーバー制御メッセージを通じてレンジングコードを予め割り当てられる。予め割り当てられたレンジングコードは、ターゲットＢＳの基本バンドと少なくとも一つのサブバンドのうちいずれか一つを通じて転送される。これら予め割り当てられたレンジングコードは、基本バンドとサブバンド各々に対するレンジングに使用されるだけでなく、オーバーレイモード準備インジケータとして機能する。
【０１０９】
図１１は、本発明のもう一つの実施形態によるオーバーレイ通信システムにおけるＭＳとＢＳとの間のデータ送受信プロセスを示す。
【０１１０】
図１１の説明に先立って、オーバーレイ通信システムは、ＭＳ１１００とＢＳ１１１０を含む。ＢＳ１１１０は、基本バンド１１１２、第１のサブバンド１１１４、及び第２のサブバンド１１１６を含む３個の周波数帯域を運用すると仮定する。
【０１１１】
図１１を参照すると、ＭＳ１１００は、基本バンド１１１２を通じてＢＳ１１１０とのネットワークエントリプロセスを遂行する(ステップ１１０１)。ＭＳ１１００は、オーバーレイモードの動作に使用されるサブバンドの情報を用いて第１のサブバンド１１１４及び第２のサブバンド１１１６に対する同期を獲得する(ステップ１１０３及びステップ１１０７)。サブバンドの情報はステップ１１０１又はそれ以前に獲得されると仮定する。また、ＭＳ１１００によって第１のサブバンド１１１４及び第２のサブバンド１１１６に対する同期を獲得するプロセスは、第１のサブバンド１１１４及び第２のサブバンド１１１６を通じて伝送される同期チャンネルとシステム情報を含むシステム情報チャンネルを受信するステップを含む。
【０１１２】
その後、ＭＳ１１００は、第１のサブバンド１１１４及び第２のサブバンド１１１６に対するレンジングを遂行する(ステップ１１０５及びステップ１１０９)。ここで、レンジングは、例えば周期的レンジング(periodic ranging)に該当する。レンジングプロセス(ステップ１１０５及びステップ１１０９）は、ＭＳ１１００が第１のサブバンド１１１４及び第２のサブバンド１１１６を通じてＢＳ１１１０に周期的レンジングコードを送信してレンジングを要求するステップと、ＭＳ１１００がＢＳ１１１０からレンジング要求に対するレンジング応答メッセージを受信するステップとを含む。
【０１１３】
その後、ＭＳ１１００は、ＢＳ１１１０の制御器１１１７にオーバーレイモード準備インジケータを送信する(ステップ１１１１)。すなわち、ＭＳ１１００は、ＢＳ１１１０の制御器１１１７にオーバーレイモード準備インジケータを送信し、それによって第１のサブバンド１１１４及び第２のサブバンド１１１６を通じてデータを送受信する準備ができたことを知らせる。ここで、オーバーレイモード準備インジケータは、ＭＡＣ制御メッセージ、ＣＱＩコード、及び予め割り当てられた専用コードの形態で送信される。オーバーレイモード準備インジケータを受信すると、ＢＳ１１１０はオーバーレイモード準備インジケータに対する応答信号をＭＳ１１００に送信する(ステップ１１１３)。その後、ＭＳ１１００は、基本バンド１１１２、第１のサブバンド１１１４、及び第２のサブバンド１１１６を通じてＢＳ１１１０とのデータ送受信を遂行する(ステップ１１１５)。
【０１１４】
図１１に示す実施形態において、各サブバンドに対する同期を獲得した(ステップ１１０３又はステップ１１０７)後、該当サブバンドに対するレンジングプロセスが遂行される(ステップ１１０５又はステップ１１０９)。しかしながら、レンジングプロセスは、システム状況によって省略できることはもちろんである。レンジングプロセス(ステップ１１０５又はステップ１１０９)が省略される場合、ＭＳ１１００は、サブバンドに対する同期を獲得した(ステップ１１０３又はステップ１１０７)後に、レンジングプロセス(ステップ１１０５又はステップ１１０９)の遂行なしにオーバーレイモード準備インジケータを送信できる(ステップ１１１１)。
【０１１５】
一方、ステップで応答信号は、ＭＡＣ制御メッセージ、ダウンリンクデータ、及びレンジング応答メッセージの形態で送信されることができる。
【０１１６】
(１)ＭＡＣ制御メッセージ
【０１１７】
オーバーレイモード準備インジケータに対する応答メッセージは、ＭＡＣ制御メッセージ形態で送信され、このＭＡＣ制御メッセージは下記の＜表３＞のように示すことができる。ＭＡＣ制御メッセージは、一般的なＭＡＣ制御メッセージ、ヘッダー、サブヘッダー、及び拡張されたサブヘッダーのうち少なくとも一つに該当する。
【０１１８】
【表３】
2011514774.tif 000005
【０１１９】
＜表３＞に示すＭＡＣ制御メッセージ形態で送信される応答メッセージは、メッセージタイプフィールド、トランザクション(transaction)識別子フィールド、及びオーバーレイモードインジケータフィールドを含む。メッセージタイプフィールドは、ＭＡＣ制御メッセージのタイプを示す。このメッセージタイプフィールドが、例えばＦＯ準備インジケータ肯定応答(ＡＣＫ)に設定される場合に、ＭＡＣ制御メッセージは、オーバーレイモード準備インジケータに対する応答メッセージであることを意味する。
【０１２０】
＜表３＞によるオーバーレイモード準備インジケータがトランザクション識別子フィールドを含む場合のみに、応答信号は、トランザクション識別子フィールドを含むことができる。トランザクション識別子フィールドは、オーバーレイモード準備インジケータに含まれるトランザクション識別子と同一の値を有するように設定される。
【０１２１】
オーバーレイモードインジケータフィールドは、オーバーレイモード準備インジケータがトランザクション識別子フィールドを含んでいない場合のみに、応答信号がオーバーレイモード準備インジケータに対する応答であることを示す。例えば、オーバーレイモード準備インジケータがＣＱＩコードの形態で送信される場合、ＣＱＩコードを受信したＢＳは、オーバーレイモードインジケータフィールドを含む応答信号をＭＳに送信することによって、応答信号がオーバーレイモード準備インジケータに対する応答であることを通知することができる。
【０１２２】
(２)ダウンリンクデータ
【０１２３】
ダウンリンクデータが存在する場合、オーバーレイモード準備インジケータに対する応答信号は、ダウンリンクデータ形態でサブバンドのうちいずれか一つを通じてＭＳに送信されることができる。サブバンドのうちいずれか一つを通じてダウンリンクデータを受信すると、ＭＳは、ダウンリンクデータがオーバーレイモード準備インジケータに対する応答信号であることを認知する。
【０１２４】
(３)レンジング応答メッセージ
【０１２５】
オーバーレイモード準備インジケータが予め割り当てられたレンジングコードの形態で送信される場合、オーバーレイモード準備インジケータに対する応答信号は、レンジングメッセージ形態で送信されることができる。レンジング応答メッセージは予め割り当てられたレンジングコードを含む。例えば、予め割り当てられたレンジングコード形態で送信されるオーバーレイモード準備インジケータを基本バンド１１１２を通じて受信すると、ＢＳ１１１０は、基本バンド１１１２を通じてレンジング応答メッセージを送信する。予め割り当てられたレンジングコード形態で送信されるオーバーレイモード準備インジケータをサブバンド１１１４及び１１１６を通じて受信すると、ＢＳ１１１０は、サブバンド１１１４，１１１６を通じてレンジング応答メッセージを送信する。
【０１２６】
一方、基本バンド以外のバンド(例えば、サブバンド)を通じてＢＳとのデータ送受信を遂行するために、ＭＳは、各サブバンドに対するレンジングプロセスを遂行することが不可避である。本発明の実施形態によるオーバーレイ通信システムにおけるレンジングプロセスについて、図１２及び図１３を参照してより詳細に説明する。オーバーレイ通信システムはＭＳとＢＳを含み、ＢＳは、基本バンドとサブバンドを含む２個の周波数帯域を運用する。
【０１２７】
図１２は、本発明の実施形態によるオーバーレイ通信システムにおいてＭＳによってサブバンドに対するレンジングプロセスを示す。
【０１２８】
図１２を参照すると、ＭＳは、ステップ１２０１でＢＳからサブバンドレンジングコードセットを受信し、ステップ１２０３に進行する。サブバンドレンジングコードセットは、レンジングコードセットの中から初期レンジングコードセット、周期的レンジングコードセット、ハンドオーバーレンジングコードセット、帯域幅要求レンジングコードセットを除いた他のレンジングコードセットに該当する。特に、サブバンドレンジングコードセットは、オーバーレイ通信システムでＭＳがサブバンドに対するレンジングプロセスを遂行する場合に、サブバンドを通じてＭＳをレンジングメッセージが伝送されるようにするために別途に管理されるレンジングコードセットを意味する。サブバンドレンジングコードセットは、基本バンドを通じて伝送されるシステム情報、あるいはサブバンドを通じてシステム情報が別途にブロードキャスティングされる場合にサブバンドを通じて伝送されるシステム情報から獲得できる。
【０１２９】
ステップ１２０３で、ＭＳは、サブバンドを通じてサブバンドレンジングコードをＢＳに送信した後にステップ１２０５に進行する。ここで、サブバンドレンジングコードは、サブバンドレンジングコードセットに含まれるレンジングコードの中で選択される。ステップ１２０５で、ＭＳは、サブバンドレンジングコードに対するレンジング応答を待機する待機タイマを開始する。
【０１３０】
その後、ステップ１２０７で、ＭＳは、ステップ１２０５で開始されたレンジング応答待機タイマが満了する前にレンジング応答メッセージがＢＳから受信されるか否かを判定する。その判定結果、レンジング応答待機タイマの満了以前にレンジング応答メッセージが受信される場合に、ＭＳは、ステップ１２０９に進行する。レンジング応答メッセージは、放送チャンネルを通じて転送され、サブバンドレンジングコード、サブバンドレンジングコードが送信されるシンボル領域/サブチャンネル領域/フレーム番号に関する情報、サブバンドレンジングコードが受信されるバンド情報、及びサブバンドレンジングコードに対する調整情報結果値を含む。調整情報結果値は、ＢＳによってサブバンドレンジングコードの受信に成功したことを知らせる成功(success)コード、サブバンドレンジングコードの受信に失敗したことを知らせる停止(abort)コード、及びサブバンドレンジングコードの送信パラメータを再調整して再転送することを要求する継続(continue)コードを意味する。また、送信パラメータは、パワーオフセット、時間同期オフセット、及び周波数同期オフセットを含む。
【０１３１】
ステップ１２０９で、ＭＳは、レンジング応答メッセージに含まれた調整情報結果値によって動作を遂行する。調整情報結果値が成功コードを含む場合に、ＭＳは、サブバンドを使用するための次の動作を遂行する。調整情報結果値が停止コードを含む場合には、ＭＳは、ステップ１２０３で送信されたサブバンドレンジングコードを再伝送する。調整情報結果値が継続コードを含む場合には、サブバンドレンジングコードの送信パラメータを再調整して再転送する。さらに、レンジング応答メッセージに含まれた情報の中から調整情報結果値を除いた残りの情報を通じて、レンジング応答メッセージがステップ１２０３で送信されたサブバンドレンジングコードに対する応答であるメッセージであるか否かを判定できる。
【０１３２】
一方、ステップ１２０７の判定結果、レンジング応答待機タイマの満了以前にレンジング応答メッセージが受信されない場合には、ＭＳは、ステップ１２０３に進行する。ＭＳは、ステップ１２０３で、サブバンドを通じてサブバンドレンジングコードを再転送する。
【０１３３】
図１３は、本発明の実施形態によるオーバーレイ通信システムにおいてＢＳによるサブバンドに対するレンジングプロセスを示す。
【０１３４】
図１３を参照すると、ＢＳは、ステップ１３０１でＭＳにサブバンドレンジングコードセットを送信し、ステップ１３０３に進行する。サブバンドレンジングコードセットは、ＢＳによって制御されるすべてのバンドを通じて伝送されることができる。しかしながら、本発明の実施形態では、ＭＳの基本バンドを通じて伝送されるという仮定に基づく。ステップ１３０３で、ＢＳは、ＭＳからサブバンドを通じてサブバンドレンジングコードを受信する。
【０１３５】
その後、ステップ１３０５で、ＢＳは、受信されたサブバンドレンジングコードに関する調整情報を判断して調整情報結果値を検出し、ステップ１３０７に進行する。調整情報は、ＢＳがサブバンドレンジングコードを受信したか否かを示す情報と、サブバンドレンジングコードを送信したＭＳにパラメータ調整指示を送信すべきであるか否かに関する情報を意味する。
【０１３６】
ステップ１３０７で、ＢＳは、基本バンドを通じて検出された調整情報結果値を含むレンジング応答メッセージをＭＳに送信する。このとき、ＢＳがＭＳの基本バンドを識別できないと、ＢＳは、すべての基本バンドを通じて管理するレンジング応答メッセージを送信できる。ＢＳがＭＳの基本バンドを区分できない場合、例えば、ＢＳが少なくとも３個の基本バンドを運用する場合とＢＳは自身によって受信されたサブバンドレンジングコードがどのバンドを基本バンドとして使用するＭＳによって送信されたかを区分できない場合が含まれる。
【０１３７】
上記したようにＢＳがＭＳの基本バンドを識別できない場合、ＢＳは、ＭＳの基本バンドを識別するようにするために、次のような方式を適用できる。
【０１３８】
ＭＳは、サブバンドレンジングコードをＭＳの基本バンドを通じて受信されるサブバンドレンジングコードセットから選択し、選択されたサブバンドレンジングコードをＭＳのサブバンドを通じてＢＳに送信する。サブバンドを通じてサブバンドレンジングコードを受信すると、ＢＳは、ＭＳの基本バンドを識別し、サブバンドレンジングコードに対する応答を基本バンドを通じてＭＳに送信できる。このとき、各バンドを通じて伝送されるサブバンドレンジングコードセットは、相互に排他的でなければならず、それによって各基本バンドを通じて送信されるサブバンドレンジングコードセットは相互に重複又は干渉されないようにする。
【符号の説明】
【０１３９】
１００，１５０，２００，３００，４００，５００，６００，７００，８００，９００，１０００，１０１０，１１００  ＭＳ
１２０，１６０  ＦＡ１領域
１４０，１８０  ＦＡ２領域
２１０，３１０，４１０，５１０，６１０，７１０，８１０，９１０，１０１０，１１１０  ＢＳ
２１２，３１２，４１２，５１２，６１２，７１２，８１２，９１２，１０１２，１１１２  基本バンド
２１４，３１４，４１６  サブバンド
４１４，５１４，６１４，７１４，８１４，９１４，１０１４，１１１４  第１のサブバンド
４１６，５１６，６１６，７１６，８１６，９１６，１０１６，１１１６  第２のサブバンド
【図１】
2011514774.tif 000006
【図２】
2011514774.tif 000007
【図３】
2011514774.tif 000008
【図４】
2011514774.tif 000009
【図５】
2011514774.tif 000010
【図６】
2011514774.tif 000011
【図７】
2011514774.tif 000012
【図８】
2011514774.tif 000013
【図９】
2011514774.tif 000014
【図１０】
2011514774.tif 000015
【図１１】
2011514774.tif 000016
【図１２】
2011514774.tif 000017
【図１３】
2011514774.tif 000018
【手続補正書】
【提出日】平成22年9月3日(2010.9.3)
【手続補正１】
【補正対象書類名】特許請求の範囲
【補正対象項目名】全文
【補正方法】変更
【補正の内容】
【特許請求の範囲】
【請求項１】
無線通信システムにおける移動局による周波数バンドの管理方法であって、
基本周波数バンドを通じて基地局から第１の周波数バンドに関する情報を有する第１のメッセージを受信するステップと、
前記第１の周波数バンドを通じて信号を送受信する準備ができていることを示す準備指示メッセージを、基地局へ送信するのに失敗したことを検出するステップと、
前記基地局から前記第１の周波数バンドと異なる第２の周波数バンドに関する情報を有する第２のメッセージを受信するステップと、
前記第２の周波数バンドに関する情報によって前記第２の周波数バンドを通じて前記基地局との通信を遂行するステップと、
を具備することを特徴とする周波数バンド管理方法。
【請求項２】
前記検出するステップは、
前記準備指示メッセージの送信のための帯域幅割り当てを要求する帯域幅要求コードを送信すると同時に、前記帯域幅要求コードに対する応答の受信を待機する第１のタイマを開始するステップと、
前記第１のタイマが満了する前に前記帯域幅要求コードに対する前記応答が受信されたか否かを判定するステップと、
前記第１のタイマの満了以前に前記帯域幅要求コードに対する前記応答が受信されない場合、前記準備指示メッセージの送信失敗を検出するステップと、
を具備することを特徴とする請求項１に記載の周波数バンド管理方法。
【請求項３】
前記第１のタイマが満了する前に前記帯域幅要求コードに対する前記応答が受信されたか否かを判定するステップは、
前記第１のタイマの満了以前に前記帯域幅要求コードに対する応答が受信される場合、前記準備指示メッセージを送信すると同時に前記準備指示メッセージの送信に対する応答の受信を待機する第２のタイマを開始するステップと、
前記第２のタイマの満了以前に前記準備指示メッセージに対する応答が受信されたか否かを判定するステップと、
前記第２のタイマの満了以前に前記準備指示メッセージに対する応答が受信されていない場合、前記準備指示メッセージの送信失敗を検出するステップと、
を具備することを特徴とする請求項２に記載の周波数バンド管理方法。
【請求項４】
前記第２の周波数バンドに関する情報は前記第２の周波数バンドの識別子を含むことを特徴とする請求項１に記載の周波数バンド管理方法。
【請求項５】
前記準備指示メッセージは、帯域幅要求ヘッダーとアップリンクデータのうちいずれか一つを用いて送信されることを特徴とする請求項１に記載の周波数バンド管理方法。
【請求項６】
前記準備指示メッセージの送信失敗が検出される場合、前記基地局に前記第１の周波数バンドに対する失敗インジケータを送信するステップをさらに具備することを特徴とする請求項１に記載の周波数バンド管理方法。
【請求項７】
無線移動通信システムにおける基地局による周波数バンドの管理方法であって、
基本周波数バンドを通じて第１の周波数バンドに関する情報を有する第１のメッセージを移動局に送信するステップと、
所定の時間間隔内で前記基地局が前記第１の周波数バンドを通じて信号送受信が可能であることを示す準備指示メッセージを受信したか否かを検出するステップと、
前記時間間隔内で前記基地局が前記準備指示メッセージを受信していないと、前記第１の周波数バンドと異なる第２の周波数バンドに関する情報を有する第２のメッセージを前記移動局に送信するステップと、
前記第２の周波数バンドに関する情報によって前記第２の周波数バンドを通じて前記移動局との通信を遂行するステップと、
を具備することを特徴とする周波数バンド管理方法。
【請求項８】
前記検出するステップは、
前記第１のメッセージを送信すると同時に前記準備指示メッセージの受信を待機する第１のタイマを開始するステップと、
前記第１のタイマの満了以前に前記準備指示メッセージが受信されたか否かを検出するステップと、
前記第１のタイマの満了以前に前記準備指示メッセージが受信されていない場合、前記準備指示メッセージを前記時間間隔内で受信しなかったことを検出するステップと、
を具備することを特徴とする請求項７に記載の周波数バンド管理方法。
【請求項９】
前記第２の周波数バンドに関する情報は前記第２の周波数バンドの識別子を含むことを特徴とする請求項７に記載の周波数バンド管理方法。
【請求項１０】
前記準備指示メッセージは、帯域幅要求ヘッダーとアップリンクデータのうちいずれか一つを用いて受信されることを特徴とする請求項７に記載の周波数バンド管理方法。
【請求項１１】
無線移動通信システムにおける周波数バンドを管理するシステムであって、
基地局と、
基本周波数バンドを通じて基地局から第１の周波数バンドに関する情報を有する第１のメッセージを受信し、前記第１の周波数バンドを通じて信号を送受信する準備ができていることを示す準備指示メッセージを前記基地局へ送信するのに失敗したことを検出し、前記基地局から前記第１の周波数バンドと異なる第２の周波数バンドに関する情報を有する第２のメッセージを受信し、前記第２の周波数バンドに関する情報によって前記第２の周波数バンドを通じて前記基地局との通信を遂行するように構成される移動局と、
を含むことを特徴とする周波数バンド管理システム。
【請求項１２】
前記移動局は、
前記準備指示メッセージの送信のための帯域幅割り当てを要求する帯域幅要求コードを送信すると同時に、前記帯域幅要求コードに対する応答の受信を待機する第１のタイマを開始し、
前記第１のタイマが満了する前に前記帯域幅要求コードに対する前記応答が受信されたか否かを判定し、
前記第１のタイマの満了以前に前記帯域幅要求コードに対する前記応答が受信されない場合、前記準備指示メッセージの送信失敗を検出するように構成されることを特徴とする請求項１１に記載の周波数バンド管理システム。
【請求項１３】
前記移動局は、
前記第１のタイマの満了以前に前記帯域幅要求コードに対する応答が受信される場合、前記準備指示メッセージを送信すると同時に前記準備指示メッセージに対する応答受信を待機する第２のタイマを開始し、
前記第２のタイマの満了以前に前記準備指示メッセージに対する応答が受信されたか否かを判定し、
前記第２のタイマの満了以前に前記準備指示メッセージに対する応答が受信されていない場合、前記準備指示メッセージの送信失敗を検出するように構成されることを特徴とする請求項１２に記載の周波数バンド管理システム。
【請求項１４】
前記第２の周波数バンドに関する情報は前記第２の周波数バンドの識別子を含むことを特徴とする請求項１１に記載の周波数バンド管理システム。
【請求項１５】
前記準備指示メッセージは帯域幅要求ヘッダーとアップリンクデータのうちいずれか一つを用いて送信されることを特徴とする請求項１１に記載の周波数バンド管理システム。
【請求項１６】
前記移動局は、前記準備指示メッセージの送信失敗が検出される場合、前記基地局に前記第１の周波数バンドに対する失敗インジケータを送信するように構成されることを特徴とする請求項１２に記載の周波数バンド管理システム。
【請求項１７】
無線移動通信システムにおける周波数バンドを管理するシステムであって、
移動局と、
基本周波数バンドを通じて第１の周波数バンドに関する情報を有する第１のメッセージを前記移動局に送信し、所定の時間間隔内で前記第１の周波数バンドを通じて信号送受信が可能であることを示す準備指示メッセージを受信したか否かを検出し、前記時間間隔内で前記準備指示メッセージを受信していないと、前記第１の周波数バンドと異なる第２の周波数バンドに関する情報を有する第２のメッセージを前記移動局に送信し、前記第２の周波数バンドに関する情報によって前記第２の周波数バンドを通じて前記移動局との通信を遂行する基地局と、
を含むことを特徴とする周波数バンド管理システム。
【請求項１８】
前記基地局は、
前記第１のメッセージを送信すると同時に前記準備指示メッセージの受信を待機する第１のタイマを開始し、
前記第１のタイマの満了以前に前記準備指示メッセージが受信されたか否かを検出し、
前記第１のタイマの満了以前に前記準備指示メッセージが受信されていない場合、前記準備指示メッセージを前記時間間隔内で受信しなかったことを検出するように構成されることを特徴とする請求項１７に記載の周波数バンド管理システム。
【請求項１９】
前記第２の周波数バンドに関する情報は前記第２の周波数バンドの識別子を含むことを特徴とする請求項１７に記載の周波数バンド管理システム。
【請求項２０】
前記準備指示メッセージは帯域幅要求ヘッダーとアップリンクデータのうちいずれか一つを用いて送信されることを特徴とする請求項１７に記載の周波数バンド管理システム。
【手続補正２】
【補正対象書類名】明細書
【補正対象項目名】００１４
【補正方法】変更
【補正の内容】
【００１４】
上記のような目的を達成するために、本発明の一態様によれば、無線移動通信システムにおける周波数バンドを管理するシステムであって、基地局と、基本周波数バンドを通じて基地局から第１の周波数バンドに関する情報を有する第１のメッセージを受信し、第１の周波数バンドを通じて信号を送受信する準備ができていることを示す準備指示メッセージを基地局へ送信するのに失敗したことを検出し、基地局から第１の周波数バンドと異なる第２の周波数バンドに関する情報を有する第２のメッセージを受信し、第２の周波数バンドに関する情報によって第２の周波数バンドを通じて基地局との通信を遂行するように構成される移動局とを含むことを特徴とする。
【手続補正３】
【補正対象書類名】明細書
【補正対象項目名】００１５
【補正方法】変更
【補正の内容】
【００１５】
本発明の他の態様によれば、無線移動通信システムにおける周波数バンドを管理するシステムであって、移動局と、基本周波数バンドを通じて第１の周波数バンドに関する情報を有する第１のメッセージを移動局に送信し、所定の時間間隔内で第１の周波数バンドを通じて信号送受信が可能であることを示す準備指示メッセージを受信したか否かを検出し、当該時間間隔内で準備指示メッセージを受信していないと、第１の周波数バンドと異なる第２の周波数バンドに関する情報を有する第２のメッセージを移動局に送信し、第２の周波数バンドに関する情報によって第２の周波数バンドを通じて移動局との通信を遂行する基地局とを含むことを特徴とする。
【手続補正４】
【補正対象書類名】明細書
【補正対象項目名】００１６
【補正方法】変更
【補正の内容】
【００１６】
また、本発明の他の態様によれば、無線通信システムにおける移動局による周波数バンドの管理方法であって、基本周波数バンドを通じて基地局から第１の周波数バンドに関する情報を有する第１のメッセージを受信するステップと、第１の周波数バンドを通じて信号を送受信する準備ができていることを示す準備指示メッセージを、基地局へ送信するのに失敗したことを検出するステップと、基地局から第１の周波数バンドと異なる第２の周波数バンドに関する情報を有する第２のメッセージを受信するステップと、第２の周波数バンドに関する情報によって第２の周波数バンドを通じて基地局との通信を遂行するステップとを具備することを特徴とする。
【手続補正５】
【補正対象書類名】明細書
【補正対象項目名】００１７
【補正方法】変更
【補正の内容】
【００１７】
さらに、本発明の他の態様によれば、無線移動通信システムにおける基地局による周波数バンドの管理方法であって、基本周波数バンドを通じて第１の周波数バンドに関する情報を有する第１のメッセージを移動局に送信するステップと、所定の時間間隔内で基地局が第１の周波数バンドを通じて信号送受信が可能であることを示す準備指示メッセージを受信したか否かを検出するステップと、当該時間間隔内で基地局が準備指示メッセージを受信していないと、第１の周波数バンドと異なる第２の周波数バンドに関する情報を有する第２のメッセージを移動局に送信するステップと、第２の周波数バンドに関する情報によって第２の周波数バンドを通じて移動局との通信を遂行するステップとを具備することを特徴とする。
【国際調査報告】
2011514774.tif 000019
2011514774.tif 000020